(57)【特許請求の範囲】
【請求項１】
チャネル品質情報を概算する装置であって、
マクロセルが複数の通信点を含み、
前記マクロセルに含まれる複数の通信点が共有する参照信号に基づきユーザ端末が計測したチャネル品質情報を受信するチャネル品質情報受信部と、
前記複数の通信点のチャネルマトリクス情報を取得するチャネルマトリクス情報取得部と、
単一セル通信および複数点協調通信におけるビーム形成情報を前記チャネルマトリクス情報に基づいて計算するビーム形成情報計算部と、
前記チャネル品質情報、前記チャネルマトリクス情報、および前記ビーム形成情報に基づいて、前記単一セル通信および前記複数点協調通信のチャネル品質情報を概算するチャネル品質情報概算部と、
を備える装置。
【請求項２】
前記ビーム形成情報は、ビーム形成マトリクス情報とビーム形成利得情報を含み、
前記チャネル品質情報概算部は、
前記マクロセルの外部からのノイズおよび干渉を、前記チャネル品質情報、前記チャネルマトリクス情報、および前記複数の通信点のアンテナ仮想化マトリクス情報に基づいて概算する外部ノイズおよび干渉概算部と、
前記マクロセルの内部から前記単一セル通信および前記複数点協調通信へのノイズおよび干渉を、前記チャネルマトリクス情報および前記ビーム形成マトリクス情報に基づいて概算する内部ノイズおよび干渉概算部と、
前記単一セル通信および前記複数点協調通信のチャネル品質情報を、前記ビーム形成利得情報、前記マクロセルの外部からのノイズおよび干渉、および前記マクロセルの内部から前記単一セル通信および前記複数点協調通信へのノイズおよび干渉に基づいて計算するチャネル品質情報計算部と、を備える、
請求項１の装置。
【請求項３】
前記複数の通信点における受信パワー情報を取得する受信パワー情報取得部をさらに備え、
前記チャネルマトリクス情報は、前記複数点協調通信の複数の通信点のうち一つの通信点での受信パワーに比例する受信パワー情報に基づいて標準化されたチャネルマトリクスを含む、
請求項２の装置。
【請求項４】
前記複数の通信点のうち前記一つの通信点は、前記受信パワー情報に基づいて前記複数の通信点から選択された、前記ユーザ端末への接続点である、
請求項３の装置。
【請求項５】
前記複数点協調通信の前記ユーザ端末の協調セットを決定する協調セット決定部をさらに備える、
請求項１の装置。
【請求項６】
前記ユーザ端末の前記協調セットは、前記複数の通信点の受信パワー情報に基づいて決定される、
請求項５の装置。
【請求項７】
前記チャネルマトリクス情報取得部は、前記複数の通信点からの前記チャネルマトリクス情報を受信するように構成されており、
前記複数の通信点は、前記ユーザ端末から送信されたサウンディング参照信号に基づいて前記チャネルマトリクス情報を計測する、
請求項１の装置。
【請求項８】
請求項１から７のいずれか１項の装置を備える基地局。
【請求項９】
請求項１から７のいずれか１項の装置を備えるネットワーク中央演算デバイス。
【請求項１０】
チャネル品質情報を概算する方法であって、
マクロセルが複数の通信点を含み、
前記マクロセルに含まれる複数の通信点が共有する参照信号に基づきユーザ端末が計測したチャネル品質情報を受信することと、
前記複数の通信点のチャネルマトリクス情報を取得することと、
単一セル通信および複数点協調通信におけるビーム形成情報を前記チャネルマトリクス情報に基づいて計算することと、
前記単一セル通信および前記複数点協調通信のチャネル品質情報を、前記チャネル品質情報、前記チャネルマトリクス情報、および前記ビーム形成情報に基づいて概算することと、
を含む方法。
【発明の詳細な説明】
【技術分野】
【０００１】
本発明の実施形態は、広く移動通信技術の分野に関するものであり、より詳細には、チャネル品質情報を概算する方法および装置、基地局およびネットワーク中央処理デバイスに関するものである。
【背景技術】
【０００２】
移動データサービスの定常的増加および新型アプリケーションの登場にあわせ、３ＧＰＰ（3rd Generation Partnership Project：第３世代移動体通信システム標準化プロジェクト）組織体は、ＬＴＥ（Long-Term Evolution）仕様書およびＬＴＥ−Ａ（LTE-Advanced）仕様書を開発した。次世代携帯通信基準であることから、ＬＴＥ又はＬＴＥ−ＡのシステムはＦＤＤ（Frequency Division Duplex：周波数分割複信）モードおよびＴＤＤ（Time Division Duplex：時間分割複信）モードのどちらでも稼動することができる。ＦＤＤモードでは、アップリンクとダウンリンクがデータ伝達のために一対の周波数スペクトルを使用する。一方、ＴＤＤモードでは、アップリンクとダウンリンクが同一の周波数を共有しながら、異なるタイムスロットを占有する。従って、ＴＤＤのシステムはチャネルの相関関係を有し、ダウンリンクの無線チャネル情報をアップリンクのチャネルからの情報により取得することができる。
【０００３】
ＣＯＭＰ（Coordinated Multi-Point、複数点協調通信）は、ＬＴＥ−Ａシステムにおいて、セルの端部にあるＵＥ（User Equipment、ユーザ端末）のパフォーマンスを改善するため最も重要な技術の一つである。現在のＬＴＥ−Ａの設計では、四つのシナリオが定義されている。そのうちシナリオ４では、マクロセルがマクロｅＮＢ（enhanced Node B）のほかに、複数のＲＲＨ（Remote Radio Header）も通信点として含むことが定義されており、これらもマクロｅＮＢと同一のセルＩＤ（IDentifier）を共有する。
【０００４】
加えて、低電力で稼動するＲＲＨを備えたヘテロジーニアスネットワーク（HetNet）は、送信機と受信機との間の通信距離を短くすることによりセルにおけるスループットをさらに改善することができる。しかしながら、通信範囲が狭くなるため、ＲＲＨ同士のセル内部での干渉も増加し、そのため特にセルの端部にあるＵＥにおいてパフォーマンスが低下する。このようなケースでは、ＣＯＭＰはＲＲＨ間でのデータ伝送をマクロｅＮＢに協調させることができ、そのためセルの端部のＵＥのパフォーマンスについても保証することができると考えられている。
【０００５】
図１は、従来技術でのシナリオ４におけるシステム構造の概要図を示したものであり、ＣＯＭＰシナリオの典型例を示したものでもある。図１に示されたように、実線の楕円で示されたマクロセルの中には、一つのマクロｅＮＢと、マクロｅＮＢに光ファイバーで接続された四つのＲＲＨ（例としてＲＲＨ０、ＲＲＨ１、ＲＲＨ２およびＲＲＨ３）と、四つのＵＥ（例としてＵＥ０、ＵＥ１、ＵＥ２およびＵＥ３）が存在する。マクロセル内では、ＵＥ０はＲＲＨ０に接続しており、ＵＥ１は同時にＲＲＨ１およびＲＲＨ２に接続することが可能であり、ＲＲＨ１とＲＲＨ２はＵＥ１の協調セットを構成している。ＵＥ２は、ＵＥ２の協調セットを構成するＲＲＨ３とマクロｅＮＢに接続することが可能である。ＵＥ３は、直接マクロｅＮＢに接続される。従って、このようなシナリオでは、一つのＵＥは単一の通信点もしくは協調セットにある複数の通信点に接続することができるが、これらの通信点は全て同一のセルＩＤを共有している。
【０００６】
３ＧＰＰのＴＳ（Technical Specification）３６．２１３では、ＵＥによるチャネルの計測とｅＮＢによるスケジューリングに関する手続が定義されており、それを示すことを目的として、図２Ａにその手続の概要を示す。示されたように、ステップＳ２０１では、ＵＥはＣＱＩ（Channel Quality Information、チャネル品質情報）を、ｅＮＢから特定のＲＥ（Resource Element）によって送信されたＣＲＳ（Cell specific Reference Signal、セル固有参照信号）に基づいて計測する。ＴＤＤシステムおよび通信モード７、８あるいは９では、ＰＭＩ（Precoding Matrix Indicator）／ＲＩ（Ranking Indicator）レポートが使用できない場合、ＵＥはＣＲＳに基づいてＣＱＩを計算することによりチャネル計測を実行する。ＣＲＳは事前に定義された信号であり、送信機と受信機との両方にとって既知のものであるため、ＵＥはダウンリンクチャネルのＣＱＩを、受信したＣＲＳに基づいて導出することができる。その後ステップＳ２０２において、ＵＥは計測したＣＱＩをｅＮＢへの応答情報として、ＰＵＣＣＨ（Physical Uplink Control CHannel、物理アップリンク制御チャネル）を介して定期的に、あるいはＰＵＳＣＨ（Physical Uplink Shared CHannel、物理アップリンク共有チャネル）を介して不定期に報告する。報告されたＣＱＩを受信した後、ステップＳ２０３で、ｅＮＢは、受信したＣＱＩに基づいて、ＵＥを各ＴＴＩ(Transmission Time Interval）にスケジュールする。典型的なスケジュール方法としては、例えば、ＭａｘＣ／Ｉ法、ラウンドロビン、ＰＦ（Proportional Fairness）法をはじめ、この分野において既知の技術も含まれるが、単純化するためここでは詳細には述べない。その後、ｅＮＢはパケットをＵＥに送信するために、ＲＢ（Resource Blocks）をスケジュール結果に基づいてＵＥに割り当てる。
【０００７】
図２Ｂは、３ＧＰＰのＴＳ３６．２１１に従い、二つのアンテナポートと通常のＣＰ（Cyclic Prefix）のダウンリンクのセル固有参照信号のマッピング図を概念的に示すものである。この図では、各ブロックがＲＥ（Resource Element）を示し、また二つのポート間での干渉を防ぐために、アンテナポート１で使用されているＲＥはアンテナポート０での通信では使用されず、また逆も同様であることが、図２Ｂで示されている。
【０００８】
しかしながら、上述したシナリオ４のように全ての通信点が同一のセルＩＤを共有するシナリオでは、このような解決策は適切でない。このようなシナリオでは、全ての通信点が同一のＣＲＳを送信するため、ＵＥがマクロセルの内部にある異なる通信点を区別することが全くできなくなる。これにより、計算されたＣＱＩが過大評価され、報告されたＣＱＩによって通信エラーが発生することにつながり、これは特にセル端部のＵＥにおいて顕著である。
【０００９】
ほかにも、「ＣＱＩを伝達するための方法および装置」とタイトル付けられた、出願人情報産業部電信研究院（ＣＡＴＲ）により中国特許庁（ＣＳＪＰＯ）に２０１１年８月１６日に出願された中国特許出願２０１１１０２３４９２３．Ｘにおいて、ＵＥによるチャネル計測とＣＱＩの再計算手続が開示されており、これを図解するための図３Ａにおいてこの概要が示されている。図３Ａに示されたように、ステップＳ３０１で、ＵＥはＣＳＩ−ＲＳ（Channel State Information Reference Signals、チャネル状態情報参照信号）を複数の通信点から受信するが、各通信点は異なるＣＳＩ−ＲＳをＵＥに対して送信する。ステップＳ３０２において、ＵＥは受信したＣＳＩ−ＲＳに基づいて各通信点のＣＱＩを計測する。とりわけ、計測されたＣＱＩには、そのＵＥのメイン通信点のＣＱＩと、そのＵＥの複数協調通信点のＣＱＩが含まれる。特に、メイン通信点のＣＱＩはＳＩＮＲ（Signal-to-Interference-plus-Noise Ratio）であり、他の協調通信点のＣＱＩは、メイン通信点への相対ＣＱＩである。ステップＳ３０３で、ＵＥは計測したＣＱＩをｅＮＢに報告する。次に、ステップＳ３０４で、ｅＮＢは報告されたＣＱＩに基づいてＣＱＩを再計算する。特にｅＮＢは、最初に、ＵＥのチャネルマトリクスをステップＳ３０２で計測された相対ＣＱＩの補助によって調整する。次にｅＮＢは、メイン通信点のＣＱＩに基づいてノイズおよび干渉を計算する。最後にｅＮＢは、ＣＯＭＰ内で一緒にスケジュールされたＵＥの数を考慮に入れてＣＱＩを再計算する。
【００１０】
図３Ｂは、八つのアンテナポートに、ＣＳＩ構成番号０で、３ＧＰＰ  ＴＳ３６．２１１の条件下での標準ＣＰにおけるＣＳＩ−ＲＳのマッピング図の概略を示すものであり、ＣＲＳ構成は簡略化のために省略されている。示したように、いずれのアンテナポートも、二つのＲＥだけがＣＳＩ−ＲＳを送信するために用いられる。従って、図２Ｂおよび図３Ｂから、ＣＳＩ−ＲＳがＣＲＳに比べて時間の面でも周波数の面でも希薄であり、干渉計測の精度が粗いことが明らかである。
【００１１】
一方で、開示された解決策では、ＣＱＩは複数の通信点からの異なるＣＱＩ−ＲＳに基づいて計測され、報告されるべき多数のＣＱＩが存在する。従って、アップリンクのオーバヘッドが顕著に増加する。加えて、ＣＳＩ−ＲＳそのものがさらなるダウンリンクオーバヘッドを生じる。
【００１２】
さらに、より重要なことに、現在の基準（３ＧＰＰのＴＳ３６．２１３）においては、ＰＭＩ／ＲＩレポートがなされない場合にはＵＥがＣＲＳに基づいてＣＱＩを計算することが要求されているが、上記の解決策では一切サポートされていない。加えて、ＣＳＩ−ＲＳを導入することはＵＥを変更することにあたり、従って現在利用できるＵＥ、例えばＣＱＩをＣＲＳに基づいて計測するＵＥなどと共存できるものではない。
【００１３】
従って、この分野においては新しいＣＱＩ概算スキームが緊急に必要とされている。
【発明の概要】
【発明が解決しようとする課題】
【００１４】
上述した観点から、本発明によれば、新しいチャネル品質情報を概算する方法を提供することにより、従来技術における問題の一部を解決し、あるいは少なくとも部分的に低減するものである。
【課題を解決するための手段】
【００１５】
本発明の一つの観点によれば、チャネル品質情報を概算する方法であって、マクロセルが複数の通信点を含み、セル固有の参照信号に基づきユーザ端末に計測されたチャネル品質情報を受信することと、前記複数の通信点のチャネルマトリクス情報を取得することと、単一セル通信および複数点協調通信におけるビーム形成情報を前記チャネルマトリクス情報に基づいて計算することと、前記チャネル品質情報、前記チャネルマトリクス情報、および前記ビーム形成情報に基づいて、前記単一セル通信および前記複数点協調通信のチャネル品質情報を概算することと、を含む方法が提供される。
【００１６】
本発明の実施形態においては、前記ビーム形成情報は、ビーム形成マトリクス情報とビーム形成利得情報を含み、前記単一セル通信および前記複数点協調通信のチャネル品質情報を概算することは、前記マクロセルの外部からのノイズおよび干渉を、前記チャネル品質情報、前記チャネルマトリクス情報、および前記複数の通信点のアンテナ仮想化マトリクス情報に基づいて概算することと、前記マクロセルの内部から前記単一セル通信および前記複数点協調通信へのノイズおよび干渉を、前記チャネルマトリクス情報および前記ビーム形成マトリクス情報に基づいて概算することと、前記単一セル通信および前記複数点協調通信のチャネル品質情報を、前記ビーム形成利得情報、前記マクロセルの外部からのノイズおよび干渉、および前記マクロセルの内部から前記単一セル通信および前記複数点協調通信へのノイズおよび干渉に基づいて計算することと、を含むものであってもよい。
【００１７】
本発明の他の実施形態においては、前記方法は、前記複数の通信点における受信パワー情報を取得することをさらに含み、前記チャネルマトリクス情報は、前記複数点協調通信の複数の通信点のうち一つの通信点での受信パワーに比例する受信パワー情報に基づいて標準化されたチャネルマトリクスを含む、ものであってもよい。
【００１８】
本発明のさらなる実施形態においては、前記複数の通信点のうち前記一つの通信点は、前記受信パワー情報に基づいて前記複数の通信点から選択された、前記ユーザ端末への接続点である、ものであってもよい。
【００１９】
本発明のさらに異なる実施形態においては、前記方法は、前記複数点協調通信の前記ユーザ端末の協調セットを決定することをさらに含む、ものであってもよい。
【００２０】
本発明のさらにまた異なる実施形態においては、前記ユーザ端末の前記協調セットは、前記複数の通信点の受信パワー情報に基づいて決定される、ものであってもよい。
【００２１】
本発明の他の実施形態においては、前記複数の通信点のチャネルマトリクス情報を取得することは、前記複数の通信点からの前記チャネルマトリクス情報を受信することを含み、前記チャネルマトリクス情報は、前記ユーザ端末から送信されたＳＲＳ（Sounding Reference Signals、サウンディング参照信号）に基づいて前記複数の通信点に計測される、ものであってもよい。
【００２２】
本発明のさらなる実施形態においては、前記方法は、概算された前記単一セル通信および前記複数点協調通信のチャネル品質情報に基づいて前記ユーザ端末をスケジュールすることと、前記複数の通信点にスケジュール結果を送信することと、をさらに含むものであってもよい。
【００２３】
本発明のさらに異なる実施形態においては、前記方法は、前記ユーザ端末をスケジュールしている間に取得された前記ビーム形成情報に基づいて、前記単一セル通信および前記複数点協調通信の前記チャネル品質情報を再び概算することをさらに備えるものであってもよい。
【００２４】
本発明のさらにまた異なる実施形態においては、前記方法は、前記ユーザ端末から応答された通信結果に応じ、前記単一セル通信および前記複数点協調通信の前記チャネル品質情報を調整因子によって修正することをさらに備えるものであってもよい。
【００２５】
本発明の他の観点によれば、チャネル品質情報を概算する装置であって、マクロセルが複数の通信点を含み、セル固有の参照信号に基づきユーザ端末に計測されたチャネル品質情報を受信するチャネル品質情報受信部と、前記複数の通信点のチャネルマトリクス情報を取得するチャネルマトリクス情報取得部と、単一セル通信および複数点協調通信におけるビーム形成情報を前記チャネルマトリクス情報に基づいて計算するビーム形成情報計算部と、前記単一セル通信および前記複数点協調通信のチャネル品質情報を、前記チャネル品質情報、前記チャネルマトリクス情報、および前記ビーム形成情報に基づいて概算するチャネル品質情報概算部と、を備える装置が提供される。
【００２６】
本発明のさらなる観点によれば、前述の他の観点において言及された装置を備える基地局が提供される。
【００２７】
本発明のさらに異なる観点によれば、前述の他の観点において言及された装置を備えるネットワーク中央演算デバイスが提供される。
【発明の効果】
【００２８】
本発明の実施形態によれば、背景技術において言及されたシナリオ４に特に適したＣＱＩ概算の解決策が提供され、オーバヘッドを生じない複数点協調利得を提供することができ、現存する利用可能なユーザ端末と互換性がある。
【００２９】
本発明の上記あるいは他の特徴は、実施形態における詳細な説明を通じて、又は添付された図面の参照を伴う実施形態において図解された内容を通じて明らかとなる。図面全体において、同一あるいは類似の要素には同一の参照符号を付す。
【図面の簡単な説明】
【００３０】
【図１】従来技術のシナリオ４におけるシステム構造を示す概要図である。
【００３１】
【図２Ａ】従来技術でのＵＥによるチャネル計測およびｅＮＢスケジューリングの手続の概要を示すフローチャートである。
【００３２】
【図２Ｂ】二つのアンテナポートと標準のＣＰにおけるダウンリンクセル固有参照信号のマッピングの概要を示す図である。
【００３３】
【図３Ａ】従来技術のＵＥによるチャネル計測およびＣＱＩ再計算の他の手続の概要を示すフローチャートである。
【００３４】
【図３Ｂ】八つのアンテナポート、ＣＳＩ構成０、および標準ＣＰにおけるＣＳＩ−ＲＳのマッピングの概要を示す図である。
【００３５】
【図４】本発明の実施形態に係るチャネル品質情報を概算する方法の概要を示すフローチャートである。
【００３６】
【図５】本発明の実施形態に係る単一セル通信および協調する複数点通信のチャネル品質情報の概算の手順の概要を示すフローチャートである。
【００３７】
【図６】本発明の実施形態に係るチャネル品質情報を概算する方法の概要を示すフローチャートである。
【００３８】
【図７】本発明の実施形態に係るチャネル品質情報を概算する装置の概要を示すブロック図である。
【００３９】
【図８】本発明の実施形態に係るチャネル品質情報を概算するユニットの概要を示すブロック図である。
【００４０】
【図９】本発明の他の実施形態に係るチャネル品質情報を概算する装置の概要を示すブロック図である。
【発明を実施するための形態】
【００４１】
ここから、チャネル品質情報を概算するための方法、装置、基地局およびネットワーク中央演算デバイスを、添付された図面の参照を伴う実施形態を通じて詳細に説明する。これらの実施形態は、この分野の通常の知識を有する者が、本発明をより理解し実装することを可能とするためにのみ示されたものであり、いかなる方法によっても本発明の範囲を限定しようと意図するものではないことに注意が必要である。
【００４２】
最初に言及しておくと、この発明は、方法の各工程を実行するための特定の順番に従って図示される。しかしながら、これらの方法は必ずしも図示された順番に厳密に従って実行なくともよく、逆向きの順番や、あるいは同時に、各方法工程の特性に応じて実行される。他にも、単数として表示された工程、動作部、デバイスやオブジェクトやその他のものについても、複数であることを排除するものではない。
【００４３】
ここから、最初に図４を参照し、本発明の実施形態に係るＣＱＩを概算する方法について説明する。
【００４４】
図４に示したように、最初のステップＳ４０１に、ＣＱＩがマクロｅＮＢに受信される。本発明では、ＣＱＩはＵＥによってＣＲＳに基づいて計測され、計測されたＣＱＩが例えばマクロｅＮＢに報告される。計測処理は、３ＧＰＰ  ＴＳ  ３６．２１３において定義された例と厳密に一致し、そのために本発明に係る解決策はＵＥの修正を必要とせず、現在利用可能であるＵＥと互換性を有するものである。しかしながら、上述のとおり、マクロセル内の全通信点が同一のＣＲＳをＵＥに送信するため、ＵＥは異なる通信点を区別することができない。これは、計算されたＣＱＩが過大評価され、また報告されたＣＱＩが通信エラーを引き起こし、特にセル端部のＵＥにおいてこれらが顕著である。従って、例えばマクロｅＮＢや他の適合する装置によって、報告されたＣＱＩが調整又は再計算されることを要する。
【００４５】
次に、ステップＳ４０２において、複数の通信点（Ｎ）のチャネルマトリクス情報が、ビーム形成情報を計算するための基礎情報として取得される。本発明の実施形態においては、ＵＥはＳＲＳ（Sounding Reference Signals、サウンディング参照信号）をマクロセル内の各通信点に送信し、各通信点はアップリンクＳＲＳのチャネル応答を計測する。次に、通信点は計測したチャネルマトリクス情報をマクロｅＮＢに報告する。ここで、複数の通信点からのチャネルマトリクス情報が受信される。ＴＤＤシステムでは、アップリンクおよびダウンリンクチャネルは同一の周波数を共有し、異なるタイムスロットを占有する。そのため、ＴＤＤシステムはチャネルの相互関係があり、アップリンクチャネルから得られた情報からダウンリンクチャネルの情報を得ることができる。これは、ダウンリンクチャネルのビーム形成情報がアップリンクチャネルのチャネルマトリクス情報から計算できることを意味する。
【００４６】
本発明の望ましい実施形態では、マクロｅＮＢは複数の通信点から、複数の通信点における受信パワー情報をさらに取得してもよい。このようなケースでは、チャネルマトリクス情報は、協調する複数の通信点のうち一つの通信点での受信パワーからみた相対的な受信パワー情報に基づいてさらに標準化されたものであってもよい。複数点協調通信においては、ｅＮＢはＵＥから複数点協調通信における協調セット内のそれぞれの通信点へのチャネルに対応する複数のチャネルマトリクスを受信し、各通信点は異なる受信パワーを有する。そのため、各チャネルマトリクスは、協調セット内の一つの通信点との比によって標準化されていることが望ましい。
【００４７】
協調セットは、どのような適切な方法によって定義されてもよい。例えば、本発明の実施形態の一つでは、特定の地理的範囲内に配置された通信点を協調セットとして定義してもよい。本発明の他の実施形態では、複数点協調通信の協調セットは複数の通信点の受信パワー情報に基づいて定義される。特に、受信パワーの違いが予め定められた閾値範囲内の通信点のみを協調セットを形成する通信点として選択することにより、パワーの差を限定することが可能である。加えて、協調セットのサイズを限定することも可能であり、例えば、協調セットに含まれる通信点の数の最大値を予めＭと限定し、いうなれば、最大でＭの予め定められた閾値条件を満たす通信点が協調セットに含まれる通信点として選択されてもよい。
【００４８】
従って、複数点協調通信のために、チャネルマトリクスは標準化され、また以下の例のような連結チャネルマトリクスを形成してもよい。
【数１】
0005913627.tif 000002
ここでｉはＵＥを示す指標である。Ｈi,lは、ＵＥｉの協調セット内の通信点ｌに対するチャネルのマトリクスを示す。Ｐi,0は、ＵＥｉから標準化参照通信点として選ばれ、協調セット内における任意の一つの通信点である通信点０の受信パワーを示す。ＵＥｉへ接続する通信点が標準化参照通信点として選択されることが望ましい。接続通信点は、協調セットの中にある複数の通信点からから受信パワー情報に基づいて選択された通信点であってよく、例えば受信パワー情報が最大となる通信点が接続通信点として採用されてもよい。
【００４９】
その後、単一セル通信および複数点協調通信のビーム形成情報が取得されたチャネルマトリクス情報に基づいて計算されてもよい。特に、単一セル通信のビーム形成マトリクス
Ｗi,0およびビーム形成ゲインσ2i,0はＵＥから単一通信点へのチャネルマトリクス情報に基づいて計算されてもよく、複数点協調通信のビーム形成マトリクスＷｉおよびビーム形成ゲインσ2iはＵＥから複数の協調通信点それぞれへのチャネルマトリクス情報、例えば数式１で与えられる連結チャネルマトリクスに基づいて計算されてもよい。
【００５０】
ビーム形成情報は、ビーム形成マトリクス情報とビーム形成利得情報を含んでいてもよく、これらはチャネルマトリクス情報から固有値抽出を実行することにより取得されてもよい。
【００５１】
本発明の実施形態においては、固有値はＳＶＤ（Singular Value Decomposition）法によって抽出されてもよい。この実施形態においては、ｍ×ｋのチャネルマトリクスＨ（ｎ）は以下のように表現される。 
【数２】
0005913627.tif 000003
ここでＵはｍ×ｍの行列を表し、Ｖはｋ×ｋの行列を表し、Λはｍ×ｋの行列を表す。ＵとＶはいずれもユニタリ行列であり、例えば、行列の各行が単位長を持っており互いに直交しており、そのためＵＵ＾｛Ｔ｝＝ＩおよびＶＶ＾｛Ｔ｝＝Ｉが成立する。Λは対角行列であり、対角線上の各要素が負ではなく、階数が最上位の要素が前面に配置される。これは次のように表示される。
【数３】
0005913627.tif 000004
ここでδ1、δ2…はこの行列の特異値であり、δ12、δ22…はビーム形成利得に対応する固有値である。Ｖはビーム形成マトリクスに対応するユニタリ行列である。
【００５２】
従って、行列ΛおよびＶは数式２に基づいて行列変換により導出できること、さらにビーム形成利得に対応する各固有値はΛからさらに取得できることは非常に明確である。このような方法で、ビーム形成マトリクスおよびビーム形成利得がチャネルマトリクス情報に基づいて計算される。
【００５３】
加えて、ビーム形成マトリクス情報およびビーム形成利得情報はＥＶＤ（Eigen Value Decomposition）法あるいはいかなる他の適切な手法を用いることによっても取得される。単純化のため、ＥＶＤに関する処理の詳細についてはここでは検討しない。
【００５４】
図４に参照を戻すと、ステップＳ４０４で、単一セル通信および複数点協調通信のチャネル品質情報が、チャネル品質情報、チャネルマトリクス情報、ビーム形成情報に基づいて概算される。ここでは、本発明の実施形態に係る単一セル通信および複数点協調通信のチャネル品質情報を概算する特に代表的な実施例について図５を参照して説明する。
【００５５】
図５に示されたように、最初にステップＳ５０１で、チャネル品質情報、チャネルマトリクス情報、および複数の通信点のアンテナ仮想化マトリクス情報に基づいてマクロセルの外部からのノイズおよび干渉が概算される。
【００５６】
マクロセルにあるＵＥは、マクロセル外部からのノイズおよび干渉を受ける。このマクロセル外部からのノイズおよび干渉は、受信したチャネル品質情報、取得されたチャネルマトリクス情報、および複数の通信点のアンテナ仮想化マトリクス情報から概算することができる。ＣＱＩおよびＳＩＮＲはその間にマッピングにおける相関があることが知られており、そのために報告されたＣＱＩがＣＱＩ−ＳＩＮＲマッピング曲線に基づいてＳＩＮＲに変換されてもよい。そして、マクロセル外部からのノイズおよび干渉Ｉout,iは以下の例で与えられる。
【数４】
0005913627.tif 000005
ここでＨｉはＵＥｉのチャネルマトリクスを示し、
【数５】
0005913627.tif 000006
は通信点ｊのアンテナ仮想化マトリクスを示す。ＳＩＮＲは報告されたＣＱＩから変換される。アンテナ仮想化マトリクスは無線通信システムにおいて事前に定められたパラメータである。異なる通信機器メーカーが異なるアンテナ仮想化マトリクスを使用することはあるが、特定のメーカーは与えられたアンテナ仮想化マトリクスを使用するものとする。従って、アンテナ仮想化マトリクスは利用可能となる。
【００５７】
次に、ステップＳ５０２において、マクロセル内部から単一セル通信および複数点協調通信へのノイズおよび干渉が、チャネルマトリクス情報およびビーム形成マトリクス情報に基づいて概算される。
【００５８】
マクロセル内部では、単一セル通信では、ＵＥは他の通信点からのノイズおよび干渉を受信する。このノイズおよび干渉Ｉin,i,0は以下の例により概算される。
【数６】
0005913627.tif 000007
ここで、
【数７】
0005913627.tif 000008
は、通信点ｊに用いられるビーム形成マトリクスである。
【００５９】
同様に、複数点協調通信においては、ＵＥは同一の協調セットにない通信点からのノイズおよび干渉を受ける。このノイズおよび干渉Ｉin,i,lは以下の数式の例によって概算される。
【数８】
0005913627.tif 000009
ここで、
【数９】
0005913627.tif 000010
も通信点ｊに用いられるビーム形成マトリクスである。
【００６０】
この後、ステップＳ５０３において、ビーム形成利得情報、マクロセル外部からのノイズおよび干渉、マクロセル内部から単一セル通信および複数点協調通信へのノイズおよび干渉に基づいて、単一セル通信および複数点協調通信のチャネル品質情報が計算される。
【００６１】
マクロセル外部からのノイズおよび干渉、マクロセル内部から単一セル通信および複数点協調通信へのノイズおよび干渉が取得された後、単一セル通信および複数点協調通信のＣＱＩが順に再計算される。
【００６２】
本発明の実施形態においては、単一セル通信では、ＳＩＮＲは例えば以下によって概算できる。
【数１０】
0005913627.tif 000011
【００６３】
複数点協調通信では、ＳＩＮＲは例えば以下によって概算できる。
【数１１】
0005913627.tif 000012
【００６４】
上述されたように、ＣＱＩとＳＩＮＲは互いにマッピングの相関性がある。従って、変換されたＳＩＮＲを対応するＣＱＩとしてマッピングされてもよい。 
【００６５】
このようにすることで、ＣＱＩを概算することができ、ＣＯＭＰ利得がオーバヘッドを生じることなく、さらに重要なことに、現在利用可能なＵＥに手を加えることなく取得でき、これは現在のＵＥ実装と互換性があることを意味する。
【００６６】
ここから、本発明のもう一つの実施形態に係るチャネル品質情報を概算する方法のフローチャートの概要を示す図６を参照し、本発明の他の実施形態について詳細に説明する。
【００６７】
図６に示されたように、ステップＳ６０１からＳ６０４までのオペレーションは図４に示されたステップＳ４０１からＳ４０４までのものと一致する。しかし、図６に示された方法は、ステップＳ６０５に示された単一セル通信および複数点協調通信について概算されたチャネル品質情報に基づいてＵＥをスケジュールする処理と、ステップＳ６０６に示された、複数通信点にスケジュール結果を送信する処理とをさらに含む。このようにすることで、変調されたＣＱＩに基づいてスケジュール処理が実行され、各通信点がスケジュール結果に基づいてパケットを送信することが可能となる。
【００６８】
さらに、スケジュール処理中に、ｅＮＢは実際のビーム形成情報、特にビーム形成マトリクス情報を学習することができ、そのために、ステップＳ６０７に示されるように、ＵＥをスケジュールする処理中に取得されたビーム形成情報に基づいて単一セル通信および複数点協調通信のチャネル形成情報を再概算することが可能となる。特に、マクロセル内部から単一セル通信および複数点協調通信へのノイズおよび干渉はスケジュール処理中に取得されたビーム形成情報に基づいて再計算することが可能であり、従って単一セル通信および複数点協調通信のＳＩＮＲが再度計算されたマクロセル内部のノイズおよび干渉に基づいて再び概算されることが可能である。このようにすることで、ＣＱＩがより正確になり、通信エラーの可能性をさらに減少させることができる。
【００６９】
さらに、ステップＳ６０８に示されたようにＵＥから通信結果の応答に応じてさらに単一セル通信および複数点協調通信のチャネル品質情報を修正することも可能である。ＡＣＫ（ACKnowledgement、肯定応答）あるいはＮＡＣＫ（Negative ACKnowledgement、否定応答）といった通信結果への応答として、調整因子がＣＱＩを修正するために用いられる。例えば、もしＮＡＣＫが戻された場合、これはＣＱＩが過大評価されていることを意味し、倍率あるいは固定値を示す調整因子によってＣＱＩを減少させてもよい。ＡＣＫが戻された場合、これはＣＱＩが過小評価されている可能性を意味し、倍率あるいは固定値を示す調整因子によってＣＱＩを増加させてもよい。このようにして、より正確なＣＱＩがさらに取得される。
【００７０】
本発明の効果を示すため、発明者は本発明の実施形態におけるシミュレーションを実行した。以下の表は、シミュレーションの条件あるいはシミュレーションのシナリオを示す。
表１：シミュレーション条件
【表１】
0005913627.tif 000013
【００７１】
上述のシミュレーションの仮定では、以下の表２に示されるシミュレーション結果が得られる。
表２：シミュレーション結果
【表２】
0005913627.tif 000014
【００７２】
テーブル２において、スキーム１「ＳＵ−ＭＩＭＯ  ｗ／ｏ  ＣＱＩ調整」は、本発明の背景技術において図２Ａを参照して説明された解決策を示している。スキーム２「ＳＵ−ＭＩＭＯ  ｗ／  ＣＱＩ調整」は、単一セル通信のＣＱＩだけが本発明によって概算された解決策を示している。スキーム３「ＣＯＭＰ」は、本発明の背景技術において図３Ａを参照して説明された解決策を示している。スキーム４「ＣＯＭＰ  ｗ／  ＣＱＩ調整」は、単一セル通信と複数点協調通信との両方のＣＱＩが本発明によって概算された解決策を示している。上記のテーブルから、スキーム１との比較においてスキーム２はセル全体の平均で３．５％の改善が見られ、セル端部でのスループットは２５％改善していることが見て取れる。スキーム３でのセル平均のスループットは−６．７％減少したが、セル端部でのスループットは５２．７％増加している。スキーム４では、セル平均のスループットが６．５％減少したが、セル端部でのスループットはより大きな改善（６９．４％）を達成している。
【００７３】
さらに、ＣＳＩ−ＲＳスキームに基づくオーバヘッドと比較すると、ＣＲＳスキームに基づくオーバヘッドは減少している。以下において、オーバヘッド分析の過程を示す。
オーバヘッド分析：
ＴＤＤ（構成１：ＤＳＵＵＤＤＳＵＵＤ）
全てのＲＥが、一つあたりＲＢ／１０ｍｓで稼動＝１２サブキャリア×１４ＯＦＤＭ標識×６サブフレーム  ＝１００８ＲＥ／１０ｍｓ
ＰＤＣＣＨ（標準）＝１２サブキャリア×３ＯＦＤＭ標識×４サブフレーム＝１４４ＲＥ／１０ｍｓ
ＰＤＣＣＨ（特別）＝１２サブキャリア×２ＯＦＤＭ標識×２サブフレーム＝４８ＲＥ／１０ｍｓ
ＣＲＳ＝１２ＲＥ×６サブフレーム＝７２ＲＥ／１０ｍｓ
ＤＭＲＳ＝１２ＲＥ×６サブフレーム＝７２ＲＥ／１０ｍｓ
ＣＳＩ−ＲＳ（マクロ）＝１６ＲＥ／１０ｍｓ：ＣＳＩ−ＲＳ（ＬＰＮ）＝４ＲＥ／１０ｍｓ
ＣＲＳスキームでのオーバヘッド＝（１４４＋４８＋７２＋７２）／１００８＝０．３３３３
ＣＳＩ−ＲＳスキームでのオーバヘッド＝（１４４＋４８＋７２＋７２＋１６＋４×４）／１００８＝０．３６５１（＋９．５％）
【００７４】
これらから、上記のオーバヘッド分析からは、ＣＳＩ−ＲＳスキームに基づくオーバヘッドはＣＲＳスキームに基づくものに比べて９．５％多いことがわかる。
【００７５】
従って、本発明の実施形態によれば、本発明の背景技術で言及されたシナリオ４に特に適したＣＱＩ概算の解決策が提供される。それに加えて、複数点協調利得を、オーバヘッドを発生させることなく、さらに、現在利用可能なＵＥとの互換な形で実現できる。
【００７６】
加えて、本発明はチャネル品質情報を算出する装置も提供する。ここから、図７から９を参照して装置について説明する。
【００７７】
図７に示されたように、チャネル品質情報を概算する装置７００は、チャネル品質情報受信ユニット７０１、チャネルマトリクス情報取得ユニット７０２、ビーム形成情報計算ユニット７０３およびチャネル品質情報概算ユニット７０４を備える。装置７００においては、チャネル品質情報受信ユニット７０１が、ＵＥがセル固有参照信号に基づいて計測したチャネル品質情報を受信するように構成される。チャネルマトリクス情報取得ユニット７０２は、複数通信点のチャネルマトリクス情報を取得するように構成される。ビーム形成情報計算ユニット７０３は単一セル通信および複数点協調通信におけるビーム形成情報をチャネルマトリクス情報に基づいて計算するように構成される。そしてチャネル品質情報概算ユニット７０４は、単一セル通信および複数点協調通信におけるチャネル品質情報をチャネル品質情報、チャネルマトリクス情報、およびビーム形成情報に基づいて概算するように構成される。
【００７８】
本発明の実施形態においては、ビーム形成情報はビーム形成マトリクス情報とビーム形成利得情報とを備えてもよく、また図８において示されたように、チャネル品質情報概算ユニット７０４は外部ノイズおよび干渉概算ユニット７０４１、内部ノイズおよび干渉概算ユニット７０４２、およびチャネル品質情報計算ユニット７０４３を備えてもよい。ユニット７０４では、外部ノイズおよび干渉概算ユニット７０４１が、チャネル品質情報、チャネルマトリクス情報、および複数の通信点へのアンテナ仮想化マトリクス情報に基づいてマクロセル外部からのノイズおよび干渉を概算するように構成されている。内部ノイズおよび干渉概算ユニット７０４２が、チャネルマトリクス情報およびビーム形成マトリクス情報に基づいてマクロセル内部から単一セル通信および複数点協調通信へのノイズおよび干渉を概算するように構成されている。チャネル品質情報計算ユニット７０４３は、ビーム形成利得情報、マクロセル外部からのノイズおよび干渉、単一セル通信および複数点協調通信のマクロセル内部からのノイズおよび干渉に基づいて、単一セル通信および複数点協調通信のチャネル品質情報を計算するように構成されている。
【００７９】
本発明の他の実施形態においては、装置７００はさらに、複数の通信点の受信パワー情報を取得するように構成された受信パワー取得ユニット（図示されていない）を備える。このような場合、チャネルマトリクス情報は複数点協調通信における一つの通信点の受信パワーに比例する受信パワー情報に基づいて標準化されたチャネルマトリクスを含むものであってもよい。
【００８０】
さらなる本発明の実施形態においては、複数の通信点のうち一つの通信点は受信パワー情報に基づいて複数の通信点から選択されたＵＥへの接続点であってもよい。
【００８１】
本発明のさらに異なる実施形態においては、装置７００はさらにＵＥに複数点協調通信の協調セットを決定するように構成された協調セット決定ユニット（図示されていない）を備えるものであってもよい。
【００８２】
本発明のさらにまた異なる実施形態においては、ＵＥの協調セットは複数の通信点の受信パワー情報に基づいて決定されてもよい。
【００８３】
本発明の他の実施形態においては、チャネルマトリクス情報取得ユニット７０２は、複数の通信点からのチャネルマトリクス情報を受信し、チャネルマトリクス情報はＵＥから送信されたサウンディング参照信号に基づいて複数の通信点に計測されたものであってもよい。
【００８４】
さらなる本発明の実施形態においては、装置７００は、図９に示されたように、スケジュールユニット７０５と結果送信ユニット７０６をさらに備えるものであってもよい。スケジュールユニット７０５は、単一セル通信および複数点協調通信のために概算されたチャネル品質情報に基づいてＵＥをスケジュールするように構成されている。そして結果送信ユニット７０６は、複数の通信点にスケジュール結果を送信するように構成されている。
【００８５】
本発明のさらに異なる実施形態においては、装置７００は、図９に示されるようにチャネル品質情報再概算ユニット７０７を備えてもよい。チャネル品質情報再概算ユニット７０７は、単一セル通信および複数点協調通信のチャネル品質情報を、ＵＥをスケジュールしている間に取得されたビーム形成情報に基づいて再び概算するように構成されている。
【００８６】
本発明のさらにまた異なる実施形態において、装置７００は、図９に示されるように、チャネル品質情報修正ユニット７０８を備えるものであってもよい。チャネル品質情報修正ユニット７０８は、ＵＥから応答された通信結果に応じ、単一セル通信および複数点協調通信のチャネル品質情報を調整因子によって修正するように構成されている。
【００８７】
加えて本発明は、ここまで述べられた本発明の実施形態のいずれかに係る装置７００を備える基地局をさらに提供する。
【００８８】
加えて本発明は、ここまで述べられた本発明の実施形態のいずれかに係る装置７００を備えるネットワーク中央演算デバイスをさらに提供する。
【００８９】
他にも、図７から９を参照して装置７００に含まれる個々のユニットによる処理は、実質的に先に述べられた個々の方法の工程に相当することに注意を要する。従って、装置７００内の各ユニットによる詳細な処理については、先に述べられた図４から６に参照される本発明の方法を参照してほしい。
【００９０】
ここまで述べられた本発明の実施形態において、マクロｅＮＢがＣＱＩを概算する装置として記述されている。しかしながら、ＣＱＩを概算する装置として機能を提供するのはいかなるネットワーク中央演算デバイスであってもよいことは、この分野における通常の技術を有するものは十分理解できることに注意すべきである。
【００９１】
それに加えて、ここまでの記載においては、チャネルマトリクスは、協調セットの中の一つの通信点との比によって標準化されていることに注意を要する。しかしながら、上述したとおり、これは望ましい解決策であるが、標準化をせずにこの手法を実行することも可能である。
【００９２】
さらに本発明は、特に望ましい実施形態については添付の図面を参照しつつ説明された。しかしながら、本発明の範囲は図示され、あるいは提供された特定の実施形態に限定されるものではなく、さまざまな変形が本発明の範囲内において行われうるものである。 
【００９３】
さらに、本発明の実施形態はソフトウェア、ハードウェアあるいはこれらの組み合わせによっても実装されうるものである。ハードウェア部分は特別なロジックを用いて実装されてもよい。ソフトウェア部分はメモリーに記録されて、マイクロプロセッサーや専用に設計されたハードウェア等の適切な指示実行システムによって実行される。上述の方法およびシステムは、コンピュータ実行可能な指示および／又はプロセッサに含まれる制御命令を用いて実装することができ、例えばこのような命令は、磁気ディスク、ＣＤ（Compact Disk）、ＤＶＤ−ＲＯＭ（Digital Versatile Disk - Read Only Memory）などの移動可能な記録媒体、あるいはＲＯＭ（Read Only Memory）のファームウェアなどのプログラム可能なメモリー、あるいは光学又は電気的信号媒体によって提供されうることは、技術分野における通常の知識を有するものには理解できるものである。本発明の実施形態の装置およびその構成要素は例えば超大規模集積回路あるいはゲートアレイなどのハードウェア回路、論理チップやトランジスタといった半導体、ＦＰＧＡ（Field-Programmable Gate Array）のようなプログラム可能なハードウェア装置、ＰＬＤ（Programmable Logical Device）によって実装され、あるいはさまざまな種類のプロセッサで実行されるソフトウェアによって実装され、あるいは上述のハードウェア回路やソフトウェアの結合（例えばファームウェア）によっても実装可能である。
【００９４】
本発明は、ここまで検討された実施形態を参照することにより説明されたが、本発明は開示された実施形態に限定されないと認識されるべきである。それどころか本発明は、添付されたクレームの精神と範囲に属するさまざまな変形や等価な配合に及ぶことを意図する。添付されたクレームの範囲は最も広く解釈され、こういった変形および等価な構造および機能の全てに及ぶものである。
【００９５】
（付記１）
チャネル品質情報を概算する方法であって、
マクロセルが複数の通信点を含み、
セル固有の参照信号に基づきユーザ端末に計測されたチャネル品質情報を受信することと、
前記複数の通信点のチャネルマトリクス情報を取得することと、
単一セル通信および複数点協調通信におけるビーム形成情報を前記チャネルマトリクス情報に基づいて計算することと、
前記チャネル品質情報、前記チャネルマトリクス情報および前記ビーム形成情報に基づいて、前記単一セル通信および前記複数点協調通信のチャネル品質情報を概算することと、
を含む方法。
【００９６】
（付記２）
前記ビーム形成情報は、ビーム形成マトリクス情報とビーム形成利得情報を含み、
前記単一セル通信および前記複数点協調通信のチャネル品質情報を概算することは、
前記マクロセルの外部からのノイズおよび干渉を、前記チャネル品質情報、前記チャネルマトリクス情報、および前記複数の通信点のアンテナ仮想化マトリクス情報に基づいて概算することと、
前記マクロセルの内部から前記単一セル通信および前記複数点協調通信へのノイズおよび干渉を、前記チャネルマトリクス情報および前記ビーム形成マトリクス情報に基づいて概算することと、
前記単一セル通信および前記複数点協調通信のチャネル品質情報を、前記ビーム形成利得情報、前記マクロセルの外部からのノイズおよび干渉、および前記マクロセルの内部から前記単一セル通信および前記複数点協調通信へのノイズおよび干渉に基づいて計算することと、を含む、
付記１の方法。
【００９７】
（付記３）
前記複数の通信点における受信パワー情報を取得することをさらに含み、
前記チャネルマトリクス情報は、前記複数点協調通信の複数の通信点のうち一つの通信点での受信パワーに比例する受信パワー情報に基づいて標準化されたチャネルマトリクスを含む、
付記２の方法。
【００９８】
（付記４）
前記複数の通信点のうち前記一つの通信点は、前記受信パワー情報に基づいて前記複数の通信点から選択された、前記ユーザ端末への接続点である、
付記３の方法。
【００９９】
（付記５）
前記複数点協調通信の前記ユーザ端末の協調セットを決定することをさらに含む、
付記１の方法。
【０１００】
（付記６）
前記ユーザ端末の前記協調セットは、前記複数の通信点の受信パワー情報に基づいて決定される、
付記５の方法。
【０１０１】
（付記７）
前記複数の通信点のチャネルマトリクス情報を取得することは、前記複数の通信点からの前記チャネルマトリクス情報を受信することを含み、
前記チャネルマトリクス情報は、前記ユーザ端末から送信されたサウンディング参照信号に基づいて前記複数の通信点に計測される、
付記１の方法。
【０１０２】
（付記８）
概算された前記単一セル通信および前記複数点協調通信のチャネル品質情報に基づいて前記ユーザ端末をスケジュールすることと、
前記複数の通信点にスケジュール結果を送信することと、をさらに含む、
付記１の方法。
【０１０３】
（付記９）
前記ユーザ端末をスケジュールしている間に取得された前記ビーム形成情報に基づいて、前記単一セル通信および前記複数点協調通信の前記チャネル品質情報を再び概算することをさらに備える、
付記８の方法。
【０１０４】
（付記１０）
前記ユーザ端末から応答された通信結果に応じ、前記単一セル通信および前記複数点協調通信の前記チャネル品質情報を調整因子によって修正することをさらに備える、
付記１の方法。
【０１０５】
（付記１１）
チャネル品質情報を概算する装置であって、
マクロセルが複数の通信点を含み、
セル固有の参照信号に基づきユーザ端末に計測されたチャネル品質情報を受信するチャネル品質情報受信部と、
前記複数の通信点のチャネルマトリクス情報を取得するチャネルマトリクス情報取得部と、
単一セル通信および複数点協調通信におけるビーム形成情報を前記チャネルマトリクス情報に基づいて計算するビーム形成情報計算部と、
前記チャネル品質情報、前記チャネルマトリクス情報、および前記ビーム形成情報に基づいて、前記単一セル通信および前記複数点協調通信のチャネル品質情報を概算するチャネル品質情報概算部と、
を備える装置。
【０１０６】
（付記１２）
前記ビーム形成情報は、ビーム形成マトリクス情報とビーム形成利得情報を含み、
前記チャネル品質情報概算部は、
前記マクロセルの外部からのノイズおよび干渉を、前記チャネル品質情報、前記チャネルマトリクス情報、および前記複数の通信点のアンテナ仮想化マトリクス情報に基づいて概算する外部ノイズおよび干渉概算部と、
前記マクロセルの内部から前記単一セル通信および前記複数点協調通信へのノイズおよび干渉を、前記チャネルマトリクス情報および前記ビーム形成マトリクス情報に基づいて概算する内部ノイズおよび干渉概算部と、
前記単一セル通信および前記複数点協調通信のチャネル品質情報を、前記ビーム形成利得情報、前記マクロセルの外部からのノイズおよび干渉、および前記マクロセルの内部から前記単一セル通信および前記複数点協調通信へのノイズおよび干渉に基づいて計算するチャネル品質情報計算部と、を備える、
付記１１の装置。
【０１０７】
（付記１３）
前記複数の通信点における受信パワー情報を取得する受信パワー情報取得部をさらに備え、
前記チャネルマトリクス情報は、前記複数点協調通信の複数の通信点のうち一つの通信点での受信パワーに比例する受信パワー情報に基づいて標準化されたチャネルマトリクスを含む、
付記１２の装置。
【０１０８】
（付記１４）
前記複数の通信点のうち前記一つの通信点は、前記受信パワー情報に基づいて前記複数の通信点から選択された、前記ユーザ端末への接続点である、
付記１３の装置。
【０１０９】
（付記１５）
前記複数点協調通信の前記ユーザ端末の協調セットを決定する協調セット決定部をさらに備える、
付記１１の装置。
【０１１０】
（付記１６）
前記ユーザ端末の前記協調セットは、前記複数の通信点の受信パワー情報に基づいて決定される、
付記１５の装置。
【０１１１】
（付記１７）
前記チャネルマトリクス情報取得部は、前記複数の通信点からの前記チャネルマトリクス情報を受信するように構成されており、
前記チャネルマトリクス情報は、前記ユーザ端末から送信されたサウンディング参照信号に基づいて前記複数の通信点に計測される、
付記１１の装置。
【０１１２】
（付記１８）
概算された前記単一セル通信および前記複数点協調通信のチャネル品質情報に基づいて前記ユーザ端末をスケジュールするスケジュール部と、
前記複数の通信点にスケジュール結果を送信する結果送信部と、をさらに備える、
付記１１の装置。
【０１１３】
（付記１９）
前記ユーザ端末をスケジュールしている間に取得された前記ビーム形成情報に基づいて、前記単一セル通信および前記複数点協調通信の前記チャネル品質情報を再び概算するチャネル品質情報再概算部をさらに備える、
付記１８の装置。
【０１１４】
（付記２０）
前記ユーザ端末から応答された通信結果に応じ、前記単一セル通信および前記複数点協調通信の前記チャネル品質情報を調整因子によって修正するチャネル品質情報調整部をさらに備える、
付記１１の装置。
【０１１５】
（付記２１）
付記１１から２０のいずれか一つの装置を備える基地局。
【０１１６】
（付記２２）
付記１１から２０のいずれか一つの装置を備えるネットワーク中央演算デバイス。
【図１】
0005913627.tif 000015
【図２Ａ】
0005913627.tif 000016
【図２Ｂ】
0005913627.tif 000017
【図３Ａ】
0005913627.tif 000018
【図３Ｂ】
0005913627.tif 000019
【図４】
0005913627.tif 000020
【図５】
0005913627.tif 000021
【図６】
0005913627.tif 000022
【図７】
0005913627.tif 000023
【図８】
0005913627.tif 000024
【図９】
0005913627.tif 000025